(57)【要約】【課題】番組予告の放送枠（放送日時）に依存することなく、番組予告により予告される被予告番組の記録を予約するための予約情報を生成することができる放送システム等を提供することをその課題とする。【解決手段】番組予告を含む放送データに、当該番組予告により予告される被予告番組の少なくとも放送日時を含む番組予告情報を、メタデータとして当該放送データに付加して放送する放送装置１５０と、この放送装置１５０から取得した放送データに付加された番組予告情報に基づいて、被予告番組の記録を予約するための予約情報を生成するデータ記録装置１０と、から成る放送システム１である。【選択図】図１
2007274494.tif 000002
【特許請求の範囲】
【請求項１】
音声情報および映像情報の少なくとも一方を含む放送データを放送する放送装置と、当該放送データを記録するデータ記録装置と、から構成される放送システムであって、
前記放送装置は、
番組予告を含む放送データに、当該番組予告により予告される被予告番組の放送日時を含む番組予告情報を、当該放送データに付加して放送する放送手段、を備え、
前記データ記録装置は、
前記放送データを取得する放送データ取得手段と、
取得した前記放送データを記録するデータ記録手段と、
取得した前記放送データに付加された前記番組予告情報に基づいて、前記データ記録手段による前記被予告番組の記録を予約するための予約情報を生成する予約情報生成手段と、を備えたことを特徴とする放送システム。
【請求項２】
前記番組予告情報には、前記被予告番組の番組名称がさらに含まれることを特徴とする請求項１に記載の放送システム。
【請求項３】
前記データ記録装置は、
取得した前記番組予告情報を画面表示させる表示制御手段と、
画面表示された前記番組予告情報に基づき予約情報を生成するか否かを選択する予約情報生成選択手段と、をさらに備え、
前記予約情報生成手段は、
前記予約情報生成選択手段により、前記予約情報の生成が指示された場合にのみ前記予約情報を生成することを特徴とする請求項１に記載の放送システム。
【請求項４】
前記データ記録装置は、
前記表示制御手段により画面表示された前記番組予告情報を変更する番組予告情報変更手段、をさらに備え、
前記予約情報生成手段は、
変更された前記番組予告情報に基づいて前記予約情報を生成することを特徴とする請求項３に記載の放送システム。
【請求項５】
前記表示制御手段は、
前記番組予告情報を取得する毎に、当該番組予告情報を画面表示させることを特徴とする請求項３に記載の放送システム。
【請求項６】
前記データ記録装置は、
ＥＰＧデータを受信するＥＰＧデータ受信手段と、
受信した前記ＥＰＧデータに含まれる番組情報に基づいて、前記放送データに含まれる各番組の終了時刻を取得する終了時刻取得手段と、をさらに備え、
前記表示制御手段は、
前記番組予告情報を取得した前記放送データの番組終了、または前記データ記録手段による当該放送データの記録終了、をトリガとして前記番組予告情報を画面表示させることを特徴とする請求項３に記載の放送システム。
【請求項７】
前記表示制御手段は、
前記番組予告情報を取得する毎に、当該番組予告情報の表示を指示するためのアイコンを画面表示させることを特徴とする請求項６に記載の放送システム。
【請求項８】
前記表示制御手段は、
前記データ記録手段により記録された記録データの記録日時および記録チャンネルと、当該記録データに記録された放送データから取得した前記番組予告情報の取得有無を表す取得有無情報と、を記録データ毎に一覧表示する記録データリストをさらに生成し画面表示させるとともに、
前記データ記録装置は、
画面表示された前記記録データリストのなかから何れかの前記記録データを選択する記録データ選択手段、をさらに備え、
前記表示制御手段は、
選択された前記記録データに記録された放送データから取得した前記番組予告情報を画面表示させることを特徴とする請求項３に記載の放送システム。
【請求項９】
請求項１ないし８のいずれか１項に記載の放送システムに用いられることを特徴とするデータ記録装置。
【請求項１０】
コンピュータに、請求項１ないし８のいずれか１項に記載の放送システムにおける各手段として機能させることを特徴とするプログラム。
【発明の詳細な説明】
【技術分野】
【０００１】
本発明は、映像情報および／または音声情報を含むコンテンツを記録する放送システム、データ記録装置、およびプログラムに関するものである。
【背景技術】
【０００２】
現在、視聴者に向けて近日放送される番組の番組予告を放送することがよく行われている。そして、この番組予告を利用して録画予約を行い得る予約装置が開示されている（例えば特許文献１参照）。この予約装置は、番組予告をみた視聴者が次週ボタンを押下することにより、次週ボタンが押下された時点の放送チャンネルおよび時刻に基づいて、録画対象となるチャンネル、録画開始時刻、および録画終了時刻、を特定し、録画を予約する予約情報を生成するものである。
【特許文献１】特開２００１−２４５２２９号公報
【発明の開示】
【発明が解決しようとする課題】
【０００３】
しかしながら、上記の予約装置は、次週ボタンが押下された時点の時刻、すなわち番組予告の放送時刻に基づいて録画開始時刻および録画終了時刻を特定しているため、番組予告に基づいて予約情報を生成できるケースは、放送枠が、番組予告の放送枠と同一の番組に限定されるといった欠点を有している。
【０００４】
本発明は、上記の問題に鑑み、番組予告の放送枠（放送日時）に依存することなく、番組予告により予告される被予告番組の記録を予約するための予約情報を生成することができる放送システム、データ記録装置、およびプログラムを提供することをその課題とする。
【課題を解決するための手段】
【０００５】
本発明の放送システムは、音声情報および映像情報の少なくとも一方を含む放送データを放送する放送装置と、当該放送データを記録するデータ記録装置と、から構成される放送システムであって、放送装置は、番組予告を含む放送データに、当該番組予告により予告される被予告番組の放送日時を含む番組予告情報を当該放送データに付加して放送する放送手段、を備え、データ記録装置は、放送データを取得する放送データ取得手段と、取得した前記放送データを記録するデータ記録手段と、取得した放送データに付加された番組予告情報に基づいて、データ記録手段による被予告番組の記録を予約するための予約情報を生成する予約情報生成手段と、を備えたことを特徴とする。
【０００６】
この構成によれば、番組予告を含む放送データが、この番組予告により予告される被予告番組の少なくとも放送日時を含む番組予告情報が付加されて放送されるので、データ記録装置では、取得した放送データに付加された番組予告情報に基づいて、被予告番組の記録を予約するための予約情報を生成することができる。すなわち、番組予告の放送日時に依存することなく確実に予約情報を生成することが可能となる。
【０００７】
上記の放送システムにおいて、番組予告情報には、被予告番組の番組名称がさらに含まれることが好ましい。
【０００８】
この構成によれば、データ記録装置が、番組予告情報としてさらに被予告番組の番組名称を取得することができる。
【０００９】
上記の放送システムにおいて、データ記録装置は、取得した番組予告情報を画面表示させる表示制御手段と、画面表示された番組予告情報に基づき予約情報を生成するか否かを選択する予約情報生成選択手段と、をさらに備え、予約情報生成手段は、予約情報生成選択手段により、予約情報の生成が指示された場合にのみ予約情報を生成することが好ましい。
【００１０】
この構成によれば、データ記録装置が取得した番組予告情報をユーザが視認し、また番組予告情報に基づいて予約情報を生成するか否かをユーザが選択することができる。従って、ユーザの意図に反して予約情報の生成、すなわち被予告番組の記録が行われることがない。
【００１１】
上記の放送システムにおいて、データ記録装置は、表示制御手段により画面表示された番組予告情報を変更する番組予告情報変更手段、をさらに備え、予約情報生成手段は、変更された番組予告情報に基づいて予約情報を生成することが好ましい。
【００１２】
この構成によれば、表示された番組予告情報を参照しながらユーザが自由に番組予告情報を変更することができる。これにより、例えば被予告番組の放送時間帯が他の予約情報の記録時間帯と重複している場合等に、ユーザが手動で番組予告情報を修正し、修正した番組予告情報に基づいた予約情報を生成することが可能となる。
【００１３】
上記の放送システムにおいて、表示制御手段は、番組予告情報を取得する毎に、当該番組予告情報を画面表示させることが好ましい。
【００１４】
この構成によれば、放送データから取得した全ての番組予告情報をユーザが確実に視認することができる。
【００１５】
上記の放送システムにおいて、データ記録装置は、ＥＰＧデータを受信するＥＰＧデータ受信手段と、受信したＥＰＧデータに含まれる番組情報に基づいて、放送データに含まれる各番組の終了時刻を取得する終了時刻取得手段と、をさらに備え、表示制御手段は、番組予告情報を取得した放送データの番組終了、またはデータ記録手段による当該放送データの記録終了、をトリガとして番組予告情報を画面表示させることが好ましい。
【００１６】
この構成によれば、番組予告情報を取得した放送データ（番組）をユーザが視聴している間、取得した番組予告情報は表示されないので、番組予告情報の表示によりユーザの視聴を邪魔する虞がない。
【００１７】
上記の放送システムにおいて、表示制御手段は、番組予告情報を取得する毎に、当該番組予告情報の表示を指示するためのアイコンを画面表示させることが好ましい。
【００１８】
この構成によれば、ユーザが番組予告情報を取得した放送データ（番組）を視聴している間に番組予告情報を取得したことを、ユーザの視聴を邪魔することなく報知することができるとともに、ユーザが所望する場合にのみ番組予告情報を表示することができる。
【００１９】
上記の放送システムにおいて、表示制御手段は、データ記録手段により記録された記録データの記録日時および記録チャンネルと、当該記録データに記録された放送データからの番組予告情報の取得有無を表す取得有無情報と、を記録データ毎に一覧表示する記録データリストをさらに生成し画面表示させるとともに、画面表示された記録データリストのなかから何れかの記録データを選択する記録データ選択手段、をさらに備え、表示制御手段は、選択された記録データに記録された放送データから取得した番組予告情報を画面表示させることが好ましい。
【００２０】
この構成によれば、ユーザが記録データリストを参照し、選択した記録データに記録された放送データから取得した番組予告情報を視認することができる。すなわちユーザは、取得した番組予告情報を所望のタイミングで確認することができる。
【００２１】
本発明のデータ記録装置は、上記の何れか１に記載の放送システムに用いられることを特徴とする。
【００２２】
上記のデータ記録装置を用いることにより、番組予告の放送枠（放送日時）に依存することなく、番組予告により予告される被予告番組の記録を予約するための予約情報を生成することができる放送システムを実現することができる。
【００２３】
本発明のプログラムは、コンピュータに、上記の何れか１に記載の放送システムにおける各手段として機能させることを特徴とする。
【００２４】
このプログラムをコンピュータに実行させることにより、番組予告の放送枠（放送日時）に依存することなく、番組予告により予告される被予告番組の記録を予約するための予約情報を生成することができる放送システムを実現することができる。
【発明を実施するための最良の形態】
【００２５】
以下、添付の図面を参照して、本発明の一実施形態に係る放送システム等について説明する。
【００２６】
図１は、本発明の一実施形態に係る放送システム１のシステム構成図である。同図に示すように、放送システム１は、コンテンツを放送する放送装置１５０と、この放送装置１５０から放送されたコンテンツを取得し、取得したコンテンツを記録するデータ記録装置１０と、から構成している。なお、「コンテンツ」とは、映像情報および音声情報から成るもの（テレビジョン番組など）、映像情報だけのもの（例えば無声映画など）、および音声情報だけのもの（例えば音楽やラジオ番組など）の何れかに該当する放送データを意味している。
【００２７】
放送装置１５０は、コンテンツ送出部１５１を備えており、コンテンツ送出部１５１は、番組予告を含むコンテンツ（放送データ）に、この番組予告により予告される番組（以下被予告番組と記載）の放送日時および番組名称を含む番組予告情報１１０を付加して（すなわち番組予告を含むコンテンツと番組予告情報１１０とを多重化して）コンテンツを送出する。
【００２８】
データ記録装置１０は、コンテンツを取得するコンテンツ取得部２０と、各種情報を記憶する記憶部３０と、コンテンツに含まれる音声情報（信号）や映像情報（信号）を変換するコンテンツ変換部４０と、取得したコンテンツを記録するコンテンツ記録部５０と、コンテンツが記録された記録データを読み出し再生する記録データ再生部６０と、各種制御を行う制御部７０と、から成る。
【００２９】
コンテンツ取得部２０は、受信アンテナ８１から、地上波、ＢＳ、ＣＳ等のテレビジョン放送を受信する場合、いわゆるチューナが主要構成要素となる。また、外部機器８２（外部出力端子を有するテレビ、パーソナルコンピュータ、各種チューナ等）からコンテンツを取得する場合は、外部入力端子が主要構成要素となる。なお、特に図示しないが、コンテンツ取得部２０は、インターネットなど通信網を介して配信される映像／音楽データをコンテンツとして取得することも可能であり、その場合にはインターネット接続部分が主要構成要素となる。また、本実施形態に係るデータ記録装置１０（コンテンツ取得部２０）は、コンテンツの記録時に加え、例えば表示装置９１に表示されたコンテンツ、すなわちユーザがリアルタイムに視聴（聴取）しているコンテンツを取得することが可能である。
【００３０】
また、コンテンツ取得部２０は、さらにＥＰＧ（Electronic Program Guide）データ取得部２１を有し、ＥＰＧデータ取得部２１は、ＥＰＧデータ、すなわち所定の放送日における各放送番組の番組名称、放送チャンネル、および放送時間帯の各情報を含む番組配列表を取得する。なお、本実施形態では、ＥＰＧデータ取得部２１は１度に複数日分の番組配列表を取得可能であるとする。
【００３１】
記憶部３０は、コンテンツ記録部５０により記録された記録データを記憶する記録データ記憶部３１と、制御部７０の予約情報生成部７１により生成された予約情報を記憶する予約情報記憶部３２と、コンテンツ取得部２０（ＥＰＧデータ取得部２１）が取得したＥＰＧデータを記憶するＥＰＧデータ記憶部３３と、表示設定記憶部３４と、番組ジャンル記憶部３５と、を備えている。
【００３２】
表示設定記憶部３４は、制御部７０の表示制御部７２による制御により（後述する）画面表示される番組予告情報画面Ｄ１（図３〜図５参照）を、番組予告情報１１０を取得する毎に表示するか、若しくは、コンテンツ（放送データ）の番組終了またはコンテンツの記録終了の何れかをトリガとして表示するか、に関する設定情報を記憶する。番組ジャンル記憶部３５は、コンテンツに付加された番組予告情報１１０を取得対象とする番組ジャンルを記憶する。詳細な説明は省略するが、この番組ジャンル記憶部３５は、例えばユーザが入力装置９２を用いて所定の番組ジャンルを指定することにより、指定された所定の番組ジャンルを記憶する。なお、記憶部３０はハードディスク、各種半導体メモリ、各種光ディスク等により構成可能であり、その種類は問わない。
【００３３】
コンテンツ変換部４０は、取得したコンテンツに含まれる映像情報（信号）や音声情報（信号）のデコード若しくはエンコードを行う。
【００３４】
コンテンツ記録部５０は、予約情報記憶部３２の予約情報に従って、取得したコンテンツの記録を行う。なお、コンテンツの記録先が各種光ディスク等である場合、コンテンツ記録部５０はドライブが主構成要素となる。また、コンテンツの記録先がハードディスク、各種半導体メモリである場合には、制御部７０がコンテンツ記録部５０として機能することとなる。
【００３５】
記録データ再生部６０は、上記の記録データ記憶部３１から読み出した記録データを再生し、表示装置９１に表示させる。
【００３６】
制御部７０は、例えばＣＰＵが主要構成要素となる、データ記録装置１０の各部を統括して各種制御を行うものであり、具体的には、予約情報生成部７１、表示制御部７２、予約情報生成選択部７３、番組予告情報変更部７４、記録データ選択部７５、および番組予告情報取得判別部７６、を備えている。
【００３７】
予約情報生成部７１は、取得したコンテンツに付加された番組予告情報１１０に基づいて、上記の被予告番組をコンテンツ記録部５０により記録することを予約するための予約情報を生成する。なお、この予約情報は、少なくとも記録を行う記録日時および記録チャンネルに関する情報を含むものである。
【００３８】
表示制御部７２は、表示設定記憶部３４の設定情報に従ったタイミングで、取得した番組予告情報１１０（番組予告情報取得判別部７６により破棄されなかった番組予告情報；後述する）を表示装置９１に画面表示させる制御を行う。また、表示制御部７２は、記録データ記憶部３１に記憶された各記録データの記録日時および記録チャンネルを、記録データ毎に一覧表示する記録データリストを生成し、表示装置９１に画面表示させる制御を行う。
【００３９】
予約情報生成選択部７３は、例えばユーザによる所定の操作に従って、取得した番組予告情報１１０に基づいて、予約情報を生成するか否かを選択する。番組予告情報変更部７４は、例えばユーザが、表示制御部７２により画面表示された番組予告情報１１０を変更するための制御を行う。記録データ選択部７５は、例えばユーザによる所定の操作に従って、表示制御部７２により画面表示された記録データリストの中から、何れかの記録データを選択する。
【００４０】
番組予告情報取得判別部７６は、取得したコンテンツに付加された番組予告情報１１０の被予告番組の番組ジャンルが、番組ジャンル記憶部３５に記憶された番組ジャンルに該当するか否かを判別する。被予告番組の番組ジャンルが記憶している番組ジャンルに該当していない場合、番組予告情報取得判別部７６は、コンテンツに付加された番組予告情報１１０をこの段階で破棄する。
【００４１】
また、図示は省略するが、制御部７０は、取得した番組予告情報１１０を表示制御部７２により画面表示するか否かを示すフラグを保持している。すなわち、このフラグにより、取得した番組予告情報１１０を画面表示する事が定められている場合のみ、表示設定記憶部３４の設定に従って、番組予告情報１１０が画面表示されることとなる。
【００４２】
次に、図２に示すフローチャートを参照し、予約情報が生成される一連のフローについて説明する。まずデータ記録装置１０（制御部７０）は、起動すると、番組ジャンル記憶部３５を参照し、番組予告情報１１０を取得するべき番組ジャンルの情報を保持する（Ｓ１０）。次に、データ記録装置１０（制御部７０）は、番組予告情報１１０を表示するか否かを示すフラグを参照し、番組予告情報１１０を表示するようにフラグの値が設定されている場合には、さらに表示設定記憶部３４を参照し、番組予告情報１１０の取得毎に番組予告情報画面Ｄ１を表示する（番組予告情報即時表示）ことが設定されている場合（Ｓ１１；Ｙｅｓ）、即時表示フラグをＯＮにする（Ｓ１２）。
【００４３】
そして、コンテンツ取得部２０が、番組予告情報１１０を取得すると（Ｓ１３；Ｙｅｓ）、番組予告情報取得判別部７６は、取得した番組予告情報１１０の被予告番組の番組ジャンルが、保持している番組ジャンルに該当するか否かを判別する（Ｓ１４）。判別の結果、取得した番組予告情報１１０が、保持している番組ジャンルに該当しない場合（Ｓ１４；Ｎｏ）、その番組予告情報１１０を破棄する（Ｓ１５）。例えば、ユーザがスポーツ番組に関する番組予告情報１１０を取得するように設定していた場合、取得した番組予告情報１１０がドラマの予告情報であった場合には、この番組予告情報１１０は破棄される。
【００４４】
一方、取得した番組予告情報１１０が、保持している番組ジャンルに該当する場合（Ｓ１４；Ｙｅｓ）、さらに表示制御部７２は、即時表示フラグを参照し、即時表示フラグがＯＮである場合には（Ｓ１６；Ｙｅｓ）、番組予告情報画面Ｄ１（図３〜図５参照）を画面表示する制御を実行する（Ｓ１７）。そして、番組予告情報画面Ｄ１において、予約情報生成選択部７３が予約情報の生成を選択した場合（Ｓ１８；Ｙｅｓ）、予約情報生成部７１は、取得した番組予告情報１１０に基づいて予約情報を生成する（Ｓ１９）。なお、予約情報生成選択部７３が予約情報の生成を選択しなかった場合（Ｓ１８；Ｎｏ）、予約情報が生成されることはない。
【００４５】
一方、即時表示フラグを参照した結果、即時表示フラグがＯＦＦである場合には（Ｓ１６；Ｎｏ）、表示制御部７２は、番組予告情報画面Ｄ１の代わりに、番組予告情報画面Ｄ１の表示を指示するための指示アイコンを画面表示する制御を行う（Ｓ２０）。この状態で、指示アイコンが選択された場合（Ｓ２１；Ｙｅｓ）、表示制御部７２は、番組予告情報画面Ｄ１を画面表示する制御を実行する（Ｓ１７）。その後、コンテンツ（放送データ）の番組終了またはコンテンツの記録終了、が発生した場合（Ｓ２２；Ｙｅｓ）、データ記録装置１０（制御部７０）は、再度即時表示フラグを参照し、即時表示フラグがＯＦＦである場合には（Ｓ２３；Ｎｏ）、番組予告情報画面Ｄ１ａ（図７参照）を表示する（Ｓ２４）。そして、番組予告情報画面Ｄ１ａにおいて、予約情報生成選択部７３が予約情報の生成を選択した場合（Ｓ２５；Ｙｅｓ）、予約情報生成部７１は、取得した番組予告情報１１０に基づいて予約情報を生成する（Ｓ２６）。
【００４６】
なお、データ記録装置１０の制御部７０は、コンテンツ（放送データ）内の番組が終了したことを判別するため（Ｓ２２；Ｙｅｓに該当）、ＥＰＧデータ記憶部３３のＥＰＧデータに基づいて、現在放送中の番組終了時刻を取得し（終了時刻取得手段）、現在時刻が番組終了時刻に到達した時点で、番組が終了したと判別する。
【００４７】
さらに、表示制御部７２による、番組予告情報１１０の表示制御について説明する。図３は、表示制御部７２による制御により表示装置９１に画面表示される番組予告情報表示画面Ｄ１の一例を示している。図示する番組予告情報表示画面Ｄ１は、番組予告情報１１０を取得したフレーム画像Ｇと、このフレーム画像Ｇに重畳する番組予告情報表示部１２０と、各指示ボタン１２１，１２２，１２３と、から構成される。番組予告情報表示部１２０には、番組予告情報１１０として、取得した被予告番組の番組名称１１２および放送日時１１１に加え、被予告番組の放送チャンネルに対応する放送局名称（ＥＰＧデータから取得）１１３、が表示される。
【００４８】
また、予約情報生成選択部７３は、ユーザによる例えば入力装置９２（例えば赤外線を介してデータ記録装置１０と通信を行うコントローラを想定）を用いた各指示ボタン１２１，１２２，１２３の選択に従って、予約情報を生成するか否かを選択する。図示の例では、「はい」ボタン１２１が選択された場合、予約情報生成選択部７３は、予約情報を生成することを選択する。一方、「いいえ」ボタン１２３が選択された場合、予約情報生成選択部７３は、予約情報を生成しないことを選択する。
【００４９】
そして、予約情報生成選択部７３が予約情報を生成することを選択したときのみ、予約情報生成部７１は、番組予告情報表示画面Ｄ１に表示された番組予告情報１１０に基づいて、予約情報を生成する。また、「修正して予約」ボタン１２２が選択された場合、番組予告情報変更部７４は、番組予告情報表示部１２０に表示された番組予告情報１１０を、ユーザが編集可能な状態にするための制御を行う。この場合には、ユーザが適宜番組予告情報１１０を編集した後、「はい」ボタンの選択に応じて予約情報が生成されることとなる。
【００５０】
また、番組予告情報１１０の取得時に、既に被予告番組の番組情報を含むＥＰＧデータを取得している場合には、図４に示すように、ＥＰＧデータから取得した被予告番組と同一、若しくは近傍する放送枠において放送される各番組の番組情報を表示する番組情報表示部１３０、を別画面にて表示してもよい。さらに、図５に示すように、現在取得しているコンテンツ（放送データ）をリアルタイムに表示する放送データ表示部１４０を番組予告情報表示画面Ｄ１に設けてもよい。
【００５１】
さらに、図６は、表示制御部７２により、番組予告情報画面Ｄ１の表示を指示するための指示アイコンＤ３が画面表示された様子を示している（図２；Ｓ１８に該当）。同図に示すように、指示アイコンＤ３は、表示装置９１に画面表示されているコンテンツ（放送データ）の片隅に重畳して表示される。従って、番組予告情報１１０を取得したことを、ユーザの視聴を邪魔することなく報知することができるとともに、ユーザが所望する場合にのみ番組予告情報１１０を表示することができる。
【００５２】
また、図７は、表示制御部７２により、コンテンツ（放送データ）の番組終了またはコンテンツの記録終了をトリガとして画面表示される番組予告情報画面Ｄ１ａを示している（図２；Ｓ２２に該当）。同図に示す番組予告情報画面Ｄ１ａは、番組予告情報１１０を取得したフレーム画像Ｇと、このフレーム画像Ｇに重畳する番組予告情報表示部１２０と、各指示ボタン１２１と、から構成されており、番組予告情報表示部１２０には、この番組予告情報画面Ｄ１ａの表示直前まで放送していた番組から取得した全ての番組予告情報１１０が表示される。
【００５３】
また、予約情報生成選択部７３は、例えばユーザによる入力装置９２からの指示に従って、番組予告情報表示部１２０の番組予告情報１１０において何れかの番組予告情報１１０を選択する（図ではＮｏ．２の記録データが選択状態であることを示す）。なお、表示制御部８３は、選択状態にある番組予告情報１１０を取得したフレーム画像Ｇを切替表示する。
【００５４】
そして、予約情報生成選択部７３は、ユーザによる各指示ボタン１２１，１２２，１２３の選択に従って、選択状態にある番組予告情報１１０に基づいて予約情報を生成するか否かを選択する。このように、コンテンツ（放送データ）の番組終了またはコンテンツの記録終了、をトリガとして番組予告情報画面Ｄ１ａを表示する場合には、その間に取得した全ての番組予告情報１１０が表示されるので、番組予告情報１１０を取得する毎に番組予告情報表示画面Ｄ１を表示しないことが設定されていても、ユーザは、取得した全ての番組予告情報１１０を漏れなく確認することが可能となる。
【００５５】
続いて、表示制御部７２による、記録データリストの生成・表示方法について説明する。記録データ記憶部３１に記憶された各記録データには、少なくとも記録日時および記録チャンネルの情報が付加されており、表示制御部７２は、これらの情報を記録データ毎に一覧表示する記録データリストを生成し、表示装置９１に画面表示させる制御を行う。
【００５６】
図８は、表示制御部７２による制御により表示装置９１に画面表示される記録データリスト画面Ｄ２の一例を示している。図示する記録データリスト画面Ｄ２には、各記録データに含まれる記録日時および記録チャンネルに関する情報に加え、記録データに記録されたコンテンツ（放送データ）からの番組予告情報１１０の取得有無に関する情報が、記録データ毎に一覧表示される。同時に、記録データ選択部７５は、例えばユーザによる入力装置９２からの指示に従って、記録データリストのなかから何れかの記録データを選択する（図ではＮｏ．１の記録データが選択状態であることを示す）。
【００５７】
そして、例えば記録データリスト画面Ｄ２に配置する番組予告情報表示ボタンＤ２ａの選択をトリガとして、表示制御部７２は、記録データ選択部７５が選択している記録データに含まれる番組予告情報１１０を画面表示させる（表示画面については図３〜図５参照）。このように、番組予告情報１１０の取得時に限らず、記録データリストから選択された記録データに含まれる番組予告情報１１０を表示するので、ユーザは、取得した番組予告情報１１０を所望のタイミングで確認することができる。なお、コンテンツの記録時に、その番組名称をＥＰＧデータから取得し、記録データに付加して保存することにより、番組名称を記録データリストに含めて表示してもよい。
【００５８】
以上説明したように、本実施形態に係る放送システム１によれば、放送装置１５０が番組予告を含むコンテンツ（放送データ）に番組予告情報を付加して放送するとともに、データ記録装置１０がコンテンツ（放送データ）に付加された番組予告情報１１０に基づいて、被予告番組の記録を予約するための予約情報を生成するので、番組予告の放送日時に依存することなく確実に予約情報を生成することができる。
【００５９】
また、取得した番組予告情報１１０を画面表示し、取得した番組予告情報に基づいて予約情報を生成するか否かをユーザが選択することができるので、ユーザの意図に反して予約情報の生成、すなわち被予告番組の記録が行われることがない。さらに、ユーザが必要に応じて番組予告情報１１０を変更し、この変更を反映した予約情報を生成することが可能となる。
【００６０】
なお、番組予告情報１１０の表示は、記録データの再生中にも行われるようにしてもよい。また、本実施形態に係る放送システム１は、デジタル方式、アナログ方式、問わず実現することが可能である。特に、アナログ方式において、番組予告を含むコンテンツに番組予告情報１１０を付加する方法としては、例えば番組予告を含むコンテンツの走査線に付加する垂直ブランキング信号に、番組予告情報１１０を埋め込むことで実現可能である。
【００６１】
また、上記の例に示した放送システムにおける放送装置およびデータ記録装置１０の各機能をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００６２】
さらに、上記の実施形態における放送システム１の例によらず、装置構成や処理工程等について、本発明の要旨を逸脱しない範囲で、適宜変更も可能である。例えば、予約情報に基づいたコンテンツの記録をデータ記録装置が行い、それ以外の他の機能は他の装置、例えばテレビ受像機等が備えるように構成してもよい。この場合、予約情報はテレビ受像機からデータ記録装置へ送信されることとなる。
【図面の簡単な説明】
【００６３】
【図１】放送システムのシステム構成図である。
【図２】予約情報生成の一連を表すフローチャートである。
【図３】表示制御部により画面表示される番組予告情報を例示する図である。
【図４】画面表示される番組予告情報の他の例を示す図である。
【図５】画面表示される番組予告情報のさらに他の例を示す図である。される番組予告情報のさらに他の例を示す図である。
【図６】表示制御部により画面表示される指示アイコンを例示する図である。
【図７】画面表示される番組予告情報のさらに他の例を示す図である。
【図８】表示制御部により画面表示される記録データリストを例示する図である。
【符号の説明】
【００６４】
１…放送システム  １０…データ記録装置  ２０…コンテンツ取得部  ２１…ＥＰＧデータ取得部  ３０…記憶部  ３１…記録データ記憶部  ３２…予約情報記憶部  ３３…ＥＰＧデータ記憶部  ３４…表示設定記憶部  ５０…コンテンツ記録部  ７０…制御部  ７１…予約情報生成部  ７２…表示制御部  ７３…予約情報生成選択部  ７４…番組予告情報変更部  ７５…記録データ選択部  １１０…番組予告情報  １５０…放送装置  １５１…コンテンツ送出部
【図１】
2007274494.tif 000003
【図２】
2007274494.tif 000004
【図３】
2007274494.tif 000005
【図４】
2007274494.tif 000006
【図５】
2007274494.tif 000007
【図６】
2007274494.tif 000008
【図７】
2007274494.tif 000009
【図８】
2007274494.tif 000010